(57)【要約】【課題】ホイールカバーの着脱が容易で、しかもホイールカバーの盗難を有効に防止できるようにする。【解決手段】ホイールカバー装置１を、ホイールに取付けられるホイール取付け部材５と、このホイール取付け部材５に回転可能に取付けられるホイールカバー取付け部材８と、このホイールカバー取付け部材８に取付けられるホイールカバー１０とで構成する。ホイールカバー取付け部材８に重錘１９を設け、ホイール取付け部材５がホイールと一緒に回転しても、ホイールカバー取付け部材８およびホイールカバー１０は回転しないようにする。ホイールカバー１０は、ホイールカバー取付け部材８の回転を阻止した状態で、正逆回転させることにより、着脱できる構造にする。【選択図】　　　　図２
2004034880.tif 000002
【特許請求の範囲】
【請求項１】
自動車のホイール外面側に取付け機構を介し取付けられてホイールとともに回転するホイール取付け部材と；このホイール取付け部材の外面側に回転可能に取付けられ、重錘によりホイール回転時の回転が阻止されるホイールカバー取付け部材と；このホイールカバー取付け部材の外面側に連結機構を介して着脱可能に取付けられるホイールカバーと；を備え、前記連結機構は、ホイールカバー取付け部材の回転を阻止した状態で、ホイールカバーを一方向に所定角度回転させることにより連結を行なうとともに、ホイールカバーを逆方向に所定角度回転させることにより連結解除を行なう構造になっていることを特徴とするホイールカバー装置。
【請求項２】
取付け機構は、ホイールボルトに螺装される取付けナットと；ホイール取付け部材を貫通してその外面側から前記取付けナットに螺装される取付けボルトと；を備えていることを特徴とする請求項１記載のホイールカバー装置。
【請求項３】
取付け機構は、ホイール取付け部材の内面側に取付けられ、ホイールボルトに装着されているホイールナットに冠着される取付けキャップと；この取付けキャップをホイールナットに固定する止めビスと；を備えていることを特徴とする請求項１記載のホイールカバー装置。
【請求項４】
連結機構は、ホイールカバーの内面側またはホイールカバー取付け部材の外面側うちのいずれか一方に周方向の基端部が固定され、周方向の先端部に屈曲状の係止部を有する複数の板ばねと；ホイールカバーまたはホイールカバー取付け部材のうちのいずれか他方に設けられ、ホイールカバーをホイールカバー取付け部材に取付ける際に、前記各板ばねが嵌入される複数の嵌入孔と；各嵌入孔の周方向隣位位置にそれぞれ設けられ、ホイールカバーを連結方向に所定角度回転させた際に、各板ばねの係止部がスナップ係止される係止孔と；を備えていることを特徴とする請求項１，２または３記載のホイールカバー装置。
【請求項５】
ホイールカバー取付け部材は、ホイールカバーの着脱の際に回転止め用工具の先端部を係止するための工具係止部を有していることを特徴とする請求項４記載のホイールカバー装置。
【請求項６】
ホイールカバーは、その少なくとも一部が透光性を有する素材で形成されているとともに、ホイールカバー取付け部材は、ホイールカバーを内面側から照明する照明手段を有していることを特徴とする請求項１，２，３，４または５記載のホイールカバー装置。
【請求項７】
ホイールカバーは、その外周縁にタイヤへの空気注入栓を露出させるための切欠きを有してることを特徴とする請求項１，２，３，４，５または６記載のホイールカバー装置。
【発明の詳細な説明】
【０００１】
【発明の属する技術分野】
本発明は、自動車のホイール外面側に装着されるホイールカバー装置に係り、特にホイールが回転してもホイールカバーは回転しない構造のホイールカバー装置に関する。
【０００２】
【従来の技術】
従来から、例えば特開平７−１４９１０６号公報あるいは特開平１１−２４５６０３号公報等に示されているように、ホイールが回転してもホイールカバーは回転しないようにし、ホイールカバーの外面を広告宣伝等として利用するようにしたホイールカバー装置は一般に知られている。
【０００３】
【発明が解決しようとする課題】
ところが、前記従来のホイールカバー装置においては、ホイールカバーを外面側から簡単に取外すことができる構造になっているため、ホイールカバーが盗難に遭い易いという問題がある。
【０００４】
そこで一部では、ホイールカバーに錠前を取付けた構造のホイールカバー装置も提案されているが、構造が複雑になってコスト高となるとともに、ホイールカバーの着脱に多くの時間を要し、また鍵を紛失した場合には、ホイールカバーの着脱が不可能になるという問題もある。
【０００５】
本発明は、かかる現況に鑑みなされたもので、ホイールカバーの着脱が容易で、しかもホイールカバーの盗難をほぼ完全に防止することができるホイールカバー装置を提供することを目的とする。
【０００６】
本発明の他の目的は、対象となる自動車のメーカーが変更になっても、取付けナットおよび取付けボルトの位置を変更する必要がなく、またホイールボルトの寸法が異なる場合でも、取付けナットおよび取付けボルトを交換するだけで対処することができるホイールカバー装置を提供するにある。
【０００７】
本発明の他の目的は、ホイールナットを取外すことなく、ホイール取付け部材をホイールに取付けることができ、またホイールナットの寸法が異なっている場合であっても、ホイール取付け部材をホイール外面側に取付けることができるホイールカバー装置を提供するにある。
【０００８】
本発明の他の目的は、連結機構による連結状態を安定させ、ホイールカバーのガタ付きを防止することができるホイールカバー装置を提供するにある。
【０００９】
本発明の他の目的は、ホイールカバー取付け部材の回転阻止が容易で、ホイールカバーの着脱を一人の作業員で行なうことができるホイールカバー装置を提供するにある。
【００１０】
本発明の他の目的は、夜間であってもホイールカバーによる広告宣伝効果を充分に発揮させることができるホイールカバー装置を提供するにある。
【００１１】
本発明のさらに他の目的は、ホイールカバーを取外すことなく、タイヤに空気を注入することができるホイールカバー装置を提供するにある。
【００１２】
【課題を解決するための手段】
前記目的を達成するため本発明は、自動車のホイール外面側に取付け機構を介し取付けられてホイールとともに回転するホイール取付け部材と；このホイール取付け部材の外面側に回転可能に取付けられ、重錘によりホイール回転時の回転が阻止されるホイールカバー取付け部材と；このホイールカバー取付け部材の外面側に連結機構を介して着脱可能に取付けられるホイールカバーと；を設け、前記連結機構を、ホイールカバー取付け部材の回転を阻止した状態で、ホイールカバーを一方向に所定角度回転させることにより、連結を行なうことができるとともに、ホイールカバーを逆方向に所定角度回転させることにより、連結解除を行なうことができる構造としたことを特徴とする。
【００１３】
ところで、ホイールカバー取付け部材とホイールカバーとは、連結機構を介して連結されているため、ホイールカバーを正逆回転させても、ホイールカバー取付け部材も一体に回転するだけで、ホイールカバーを取外すことはできない。このため、ホイールカバーに錠前等を取付けることなく、ホイールカバーの盗難を防止することが可能となる。
【００１４】
一方、ホイールカバー取付け部材の回転を阻止した状態で、ホイールカバーを正逆回転させれば、ホイールカバーを、ホイールカバー取付け部材に対し着脱できるので、構造を熟知している使用者にとっては、ホイールカバーの着脱が極めて容易である。
【００１５】
本発明はまた、取付け機構を、ホイールボルトに螺装される取付けナットと；ホイール取付け部材を貫通してその外面側から前記取付けナットに螺装される取付けボルトと；で構成するようにしたことを特徴とする。そしてこれにより、対象となる自動車のメーカーが変更になっても、取付けナットおよび取付けボルトの位置を変更する必要がなく、またホイールボルトの寸法が異なる場合でも、取付けナットおよび取付けボルトを交換するだけで対処することが可能となる。
【００１６】
本発明はまた、取付け機構を、ホイール取付け部材の内面側に取付けられ、ホイールボルトに装着されているホイールナットに冠着される取付けキャップと；この取付けキャップをホイールナットに固定する止めビスと；で構成するようにしたことを特徴とする。そしてこれにより、ホイールナットを取外すことなく、ホイール取付け部材をホイールに取付けることが可能となり、またホイールナットの寸法が異なっている場合であっても、ホイール取付け部材をホイール外面側に取付けることが可能となる。
【００１７】
本発明はまた、連結機構を、ホイールカバーの内面側またはホイールカバー取付け部材の外面側うちのいずれか一方に周方向の基端部が固定され、周方向の先端部に屈曲状の係止部を有する複数の板ばねと；ホイールカバーまたはホイールカバー取付け部材のうちのいずれか他方に設けられ、ホイールカバーをホイールカバー取付け部材に取付ける際に、前記各板ばねが嵌入される複数の嵌入孔と；各嵌入孔の周方向隣位位置にそれぞれ設けられ、ホイールカバーを連結方向に所定角度回転させた際に、各板ばねの係止部がスナップ係止される係止孔と；で構成するようにしたことを特徴とする。そしてこれにより、連結機構による連結状態を安定させ、ホイールカバーのガタ付きを防止することが可能となる。
【００１８】
本発明はまた、ホイールカバー取付け部材に、ホイールカバーの着脱の際に回転止め用工具の先端部を係止するための工具係止部を設けるようにしたことを特徴とする。そしてこれにより、ホイールカバー取付け部材の回転阻止を、容易に行なうことが可能となり、ホイールカバーの着脱を、一人の作業員で行なうことが可能となる。
【００１９】
本発明はまた、ホイールカバーの少なくとも一部を、透光性を有する素材で形成するとともに、ホイールカバー取付け部材に、ホイールカバーを内面側から照明する照明手段を設けるようにしたことを特徴とする。そしてこれにより、夜間であっても、ホイールカバーによる広告宣伝効果を充分に発揮させることが可能となる。
【００２０】
本発明はさらに、ホイールカバーの外周縁に、タイヤへの空気注入栓を露出させるための切欠きを設けるようにしたことを特徴とする。そしてこれにより、ホイールカバーを取外すことなく、タイヤに空気を注入することが可能となる。
【００２１】
【発明の実施の形態】
以下、本発明を図面を参照して説明する。
図１は、本発明の第１の実施の形態に係るホイールカバー装置を示すもので、このホイールカバー装置１は、タイヤ２を有する自動車のホイール３外面側に取付け機構４を介して取付けられるホイール取付け部材５を備えており、このホイール取付け部材５は、前記ホイール３と一体になって回転するようになっている。
【００２２】
このホイール取付け部材５の外面側には、図１および図２に示すように、支点軸６および軸受７を介してホイールカバー取付け部材８が回転可能に取付けられており、このホイールカバー取付け部材８の外面側には、連結機構９を介してホイールカバー１０が着脱可能に取付けられるようになっている。
【００２３】
前記ホイール取付け部材５は、図１ないし図３に示すように、周方向三箇所に外径側に突出する取付け部５ａを備えた円板状をなしており、前記各取付け部５ａは、６本あるホイールボルト（図示せず）のうちの３本に対応するようになっているとともに、各取付け部５ａの中央部には、後述する取付け機構４を取付けための取付け孔１１がそれぞれ設けられている。
【００２４】
また、前記ホイール取付け部材５の中心部には、図４に示すように、外面側に突出する支点軸６の基端部が加絞め固定されており、この支点軸６には、スラストベアリングからなる軸受７を介してホイールカバー取付け部材８が装着されるようになっており、このホイールカバー取付け部材８は、ホイールカバー取付け部材８の外面側から支点軸６に装着される止めリング１２により、支点軸６からの抜け止めがなされている。すなわち、止めリング１２を取外すことにより、ホイール取付け部材５とホイールカバー取付け部材８とは、容易に分解できる構造になっている。
【００２５】
前記取付け機構４は、図２に示すように、ホイールナット（図示せず）を取外した後にホイールボルトに螺装される長ナット構造の取付けナット１３と、前記取付け孔１１（図３参照）を通してホイール取付け部材５の外面側から取付けナット１３に螺装される取付けボルト１４とで構成されており、この取付けナット１３および取付けボルト１４は、自動車メーカーによりホイールナットの寸法が異なる場合には、これに合わせて交換されるようになっている。
【００２６】
一方、前記ホイールカバー取付け部材８は、図２および図５に示すように、本体部８ａと重錘取付け部８ｂと廻り止め部８ｃとから、全体として変形十字形をなす板状に形成されており、前記本体部８ａには、その中心部に、前記支点軸６（図４参照）に装着するための装着孔１５が設けられているとともに、この装着孔１５の周囲位置に、前記連結機構９を構成する複数の嵌入孔１６および嵌入孔１６と同数の係止孔１７がそれぞれ設けられている。なお、これについては後に詳述する。
【００２７】
また、前記重錘取付け部８ｂには、図５に示すように、前記装着孔１５を中心とする等半径位置の三箇所に、重錘取付け孔１８がそれぞれ設けられており、これら各重錘取付け孔１８には、図２に示すように、例えばドーナツ円板状をなす重錘１９が止めビス２０を介してそれぞれ取付けられるようになっている。そしてこれにより、ホイール３が回転してもホイールカバー取付け部材８は回転せず、ホイールカバー１０を常に静止させておくことができるようになっている。
【００２８】
また、前記廻り止め部８ｃには、図５に示すように、例えば横長の工具係止孔２１が設けられており、この工具係止孔２１には、図１に示すように、後に詳述するホイールカバー１０とタイヤ２およびホイール３との間を通して、回転止め用工具２２の先端部を嵌入係止することができるようになっている。
【００２９】
この回転止め用工具２２は、図６および図７に示すように、Ｌ形状に屈曲する幅広の本体部２２ａと、本体部２２ａの先端に次第に幅狭になりながら連続する幅狭の操作部２２ｂとを備えており、操作部２２ｂの先端には、直角状に屈曲する係止部２２ｃが設けられている。そして、この係止部２２ｃを、図５に示す工具係止孔２１に嵌入係止するとともに、前記本体部２２ａ基端の屈曲部分を足で踏み付けることにより、ホイールカバー取付け部材８の廻り止めを容易に行なうことができるようになっている。
【００３０】
一方、前記ホイールカバー１０は、図２および図８に示すように、カバー本体１０ａと、このカバー本体１０ａの内面側に固設された平板状の内板１０ｂとを備えており、内板１０ｂの内面には、前記嵌入孔１６および係止孔１７（図５参照）とともに連結機構９を構成する複数の板ばね２３がそれぞれ取付けられている。
【００３１】
これら各板ばね２３は、図９に示すように、内板１０ｂに取付けるための取付け部２３ａと、取付け部２３ａの先端に連続して内板１０ｂから離れる方向に屈曲する屈曲部２３ｂと、屈曲部２３ｂの先端に連続して内板１０ｂ側にＶ形状に屈曲する係止部２３ｃとで構成されており、この板ばね２３の外形寸法は、図５に示す嵌入孔１６よりも小さく設定され、ホイールカバー取付け部材８と内板１０ｂとを密着させた際に、板ばね２３を嵌入孔１６に容易に嵌入できるようになっている。そして、板ばね２３を嵌入孔１６に嵌入した状態で、ホイールカバー取付け部材８と内板１０ｂとを相対回転させることにより、図９に示すように、前記係止部２３ｃが係止孔１７にスナップ係止されて、ホイールカバー取付け部材８と内板１０ｂ（すなわちホイールカバー１０）とが連結されるようになっている。
【００３２】
次に、本実施の形態の作用について説明する。
ホイールカバー装置１の取付けに際しては、まず図示しない６個のホイールナットのうちの３個のホイールナットを取外し、ホイールナットを取外した各ホイールボルトに、取付けナット１３をそれぞれ装着する。
【００３３】
次いで、取付けナット１３の外面側にホイール取付け部材５を配置し、取付けボルト１４を、ホイール取付け部材５の外面側から取付け孔１１を通して取付けナット１３に螺装する。これにより、ホイール取付け部材５がホイール３の外面側に固定される。
【００３４】
次いで、ホイール取付け部材５の中心部から突出する支点軸６に、軸受７およびホイールカバー取付け部材８を順次装着し、その後支点軸６に止めリング１２を装着して、ホイールカバー取付け部材８の支点軸６からの抜け止めを行なう。
【００３５】
次いで、回転止め用工具２２の係止部２２ｃを、ホイールカバー取付け部材８の工具係止孔２１に係止するとともに、ホイールカバー取付け部材８の外面に、ホイールカバー１０の内板１０ｂを密着させる。すると、４個の板ばね２３が、ホイールカバー取付け部材８の各嵌入孔１６にそれぞれ嵌入される。
【００３６】
そこで、回転止め用工具２２を使用してホイールカバー取付け部材８の回転を阻止した状態にし、この状態で、ホイールカバー１０を回転させる。すると、図９に示すように、板ばね２３の係止部２３ｃが係止孔１７にスナップ係止され、ホイールカバー取付け部材８とホイールカバー１０とが連結される。連結を解除する場合には、ホイールカバー１０を前記とは逆方向に回転させればよい。
【００３７】
ホイールカバー取付け部材８とホイールカバー１０とが連結されたならば、回転止め用工具２２を取外して作業を終了させる。
【００３８】
しかして、通常状態では、ホイールカバー１０を回転させれば、ホイールカバー取付け部材８も一体となって回転するので、連結機構９の連結および連結解除の構造を知らなかったり、あるいは構造を知っていても、回転止め用工具２２を有していない者は、ホイールカバー１０を取外すことができない。このため、ホイールカバー１０の盗難をほぼ完全に防止することができる。
【００３９】
一方、回転止め用工具２２を有している者にとっては、ホイールカバー１０の着脱が極めて容易であり、ホイールカバー装置１の構造が複雑になって、コスト高となるといった問題もない。
【００４０】
図１０ないし図１２は、本発明の第２の実施の形態を示すもので、前記第１の実施の形態における取付け機構４に代えて取付け機構２４を用いるとともに、前記第１の実施の形態にはない照明手段３０を設けるようにしたものである。
【００４１】
すなわち、前記取付け機構２４は、図１０に示すように、ホイール取付け部材５に回転加絞めビス３１を介し回転可能に取付けられた取付けキャップ３２を備えており、この取付けキャップ３２の周面には、止めビス３３が取付けられている。そして、前記取付けキャップ３２を、図示しないホイールナットに冠着するとともに、止めビス３３を締付けることにより、ホイール取付け部材５をホイール３の外面側に固定できるようになっている。
【００４２】
前記取付けキャップ３２の内周面は、通常はホイールナットの形状に符合する六角形状に形成されており、これにより、取付けキャップ３２をホイールナットに冠着するだけで、ホイール取付け部材５の中心とホイール３の中心とを完全に一致させることができるようになっている。
【００４３】
なお、前記取付けキャップ３２は、自動車メーカーによりホイールナットの寸法が異なっても対応できるようにするため、その内周面を、最大のホイールナットの寸法に合わせた六角形状あるいは円形状とし、止めビス３３の締付け量を調節することにより、どの自動車メーカーにも対応できるようにしてもよい。
【００４４】
また、ホイールカバー取付け部材８に設けられる各嵌入孔１６は、図１１に示すように、係止孔１７側の端部を上底とする台形状に形成されており、ホイールカバー１０をホイールカバー取付け部材８の外面側に連結固定する際に、両者の中心が完全に一致していなくても、板ばね２３を嵌入孔１６に嵌入するこことができるとともに、この状態でホイールカバー１０を回転させれば、自動的に両者の中心が一致した状態で、ホイールカバー１０とホイールカバー取付け部材８とを連結することができるようになっている。
【００４５】
また、前記ホイールカバー取付け部材８には、図１１に示すように、バッテリを内蔵するバッテリケース３０ａとスイッチ３０ｂとランプ３０ｃとで構成される照明手段３０が設けられており、一方、ホイールカバー本体１０ａには、図１２に示すように、前記スイッチ３０ｂに対応する位置に、ホイールカバー本体１０ａの外面側からスイッチ３０ｂを操作するための操作孔３４が設けられている。
【００４６】
また、ホイールカバー本体１０ａは、その少なくとも一部が、透光性を有するプラスチック素材等で形成されており、これにより、前記ランプ３０ｃを点灯した際に、ホイールカバー本体１０ａを内面側から照明することができるようになっている。
【００４７】
また、このホイールカバー本体１０ａの外周縁には、図１２に示すように、切欠き３５が設けられており、この切欠き３５を、ホイールカバー本体１０ａを回転させてタイヤ２の空気注入栓（図示せず）に符合させることにより、ホイールカバー１０を取外すことなく、タイヤ２に空気を注入することができるようになっている。
なお、その他の点については、前記第１の実施の形態と同一構成となっており、作用も同一である。
【００４８】
しかして、取付けキャップ３２を有する取付け機構２４を用いるようにしているので、ホイールナットを取外すことなく、ホイール取付け部材５をホイール３の外面側に固定することができ、取付け作業が容易であるとともに、取付けキャップ３２の形状寸法を工夫することにより、ホイールナットの寸法が変わった場合にも対処することができる。
【００４９】
また、ホイールカバー取付け部材８に、照明手段３０を設けるようにしているので、夜間であっても、ホイールカバー１０による広告宣伝効果を充分に発揮させることができる。また、ホイールカバー本体１０ａの切欠き３５によりホイールカバー１０を取外すことなく、タイヤ２に空気を注入することができる。
【００５０】
なお、前記両実施の形態において、ホイールカバー取付け部材８に、嵌入孔１６および係止孔１７を設けるとともに、ホイールカバー１０側に、板ばね２３を設ける場合について説明したが、これらの取付け位置を逆にしても同様の効果を得ることができる。
【００５１】
また、前記第２の実施の形態においては、バッテリケース３０ａを有する照明手段３０を用いる場合について説明したが、ホイール取付け部材５とホイールカバー取付け部材８との間に発電機を組込み、この発電機を照明手段３０の電源とするようにしてもよい。
【００５２】
【発明の効果】
以上説明したように本発明は、自動車のホイール外面側に取付け機構を介し取付けられてホイールとともに回転するホイール取付け部材と；このホイール取付け部材の外面側に回転可能に取付けられ、重錘によりホイール回転時の回転が阻止されるホイールカバー取付け部材と；このホイールカバー取付け部材の外面側に連結機構を介して着脱可能に取付けられるホイールカバーと；を設け、前記連結機構を、ホイールカバー取付け部材の回転を阻止した状態で、ホイールカバーを一方向に所定角度回転させることにより、連結を行なうことができるとともに、ホイールカバーを逆方向に所定角度回転させることにより、連結解除を行なうことができる構造としたことを特徴とする。
【００５３】
ところで、ホイールカバー取付け部材とホイールカバーとは、連結機構を介して連結されているため、ホイールカバーを正逆回転させても、ホイールカバー取付け部材も一体に回転するだけで、ホイールカバーを取外すことはできない。このため、ホイールカバーに錠前等を取付けることなく、ホイールカバーの盗難を防止することができる。
【００５４】
一方、ホイールカバー取付け部材の回転を阻止した状態で、ホイールカバーを正逆回転させれば、ホイールカバーを、ホイールカバー取付け部材に対し着脱できるので、構造を熟知している使用者にとっては、ホイールカバーの着脱が極めて容易である。
【００５５】
本発明はまた、取付け機構を、ホイールボルトに螺装される取付けナットと；ホイール取付け部材を貫通してその外面側から前記取付けナットに螺装される取付けボルトと；で構成するようにしているので、対象となる自動車のメーカーが変更になっても、取付けナットおよび取付けボルトの位置を変更する必要がなく、またホイールボルトの寸法が異なる場合でも、取付けナットおよび取付けボルトを交換するだけで対処することができる。
【００５６】
本発明はまた、取付け機構を、ホイール取付け部材の内面側に取付けられ、ホイールボルトに装着されているホイールナットに冠着される取付けキャップと；この取付けキャップをホイールナットに固定する止めビスと；で構成するようにしているので、ホイールナットを取外すことなく、ホイール取付け部材をホイールに取付けることができ、またホイールナットの寸法が異なっている場合であっても、ホイール取付け部材をホイール外面側に取付けることができる。
【００５７】
本発明はまた、連結機構を、ホイールカバーの内面側またはホイールカバー取付け部材の外面側うちのいずれか一方に周方向の基端部が固定され、周方向の先端部に屈曲状の係止部を有する複数の板ばねと；ホイールカバーまたはホイールカバー取付け部材のうちのいずれか他方に設けられ、ホイールカバーをホイールカバー取付け部材に取付ける際に、前記各板ばねが嵌入される複数の嵌入孔と；各嵌入孔の周方向隣位位置にそれぞれ設けられ、ホイールカバーを連結方向に所定角度回転させた際に、各板ばねの係止部がスナップ係止される係止孔と；で構成するようにしているので、連結機構による連結状態を安定させ、ホイールカバーのガタ付きを防止することができる。
【００５８】
本発明はまた、ホイールカバー取付け部材に、ホイールカバーの着脱の際に回転止め用工具の先端部を係止するための工具係止部を設けるようにしているので、ホイールカバー取付け部材の回転阻止を、容易に行なうことができ、ホイールカバーの着脱を、一人の作業員で行なうことができる。
【００５９】
本発明はまた、ホイールカバーの少なくとも一部を、透光性を有する素材で形成するとともに、ホイールカバー取付け部材に、ホイールカバーを内面側から照明する照明手段を設けるようにしているので、夜間であっても、ホイールカバーによる広告宣伝効果を充分に発揮させることができる。
【００６０】
本発明はさらに、ホイールカバーの外周縁に、タイヤへの空気注入栓を露出させるための切欠きを設けるようにしているので、ホイールカバーを取外すことなく、タイヤに空気を注入することができる。
【図面の簡単な説明】
【図１】本発明の第１の実施の形態に係るホイールカバー装置の使用状態を示す説明図である。
【図２】図１のホイールカバー装置をホイールから取外した状態を示す説明図である。
【図３】ホイール取付け部材の詳細図である。
【図４】ホイール取付け部材の支点軸周りの構造を示す説明図である。
【図５】ホイールカバー取付け部材の詳細図である。
【図６】回転止め用工具の詳細図である。
【図７】図６の側面図である。
【図８】ホイールカバーを内面側から見た構成図である。
【図９】板ばねと嵌入孔および係止孔との関係を示す説明図である。
【図１０】本発明の第２の実施の形態を示す図２相当図である。
【図１１】図１０のホイールカバー取付け部材の詳細図である。
【図１２】図１０のホイールカバーを外面側から見た構成図である。
【符号の説明】
１　ホイールカバー装置
２　タイヤ
３　ホイール
４，２４　取付け機構
５　ホイール取付け部材
８　ホイールカバー取付け部材
９　連結機構
１０　ホイールカバー
１３　取付けナット
１４　取付けボルト
１６　嵌入孔
１７　係止孔
１９　重錘
２１　工具係止孔
２２　回転止め用工具
２２ａ　本体部
２２ｂ　操作部
２２ｃ，２３ｃ　係止部
２３　板ばね
２３ａ　取付け部
２３ｂ　屈曲部
３０　照明手段
３１　回転加絞めビス
３２　取付けキャップ
３３　止めビス
３５　切欠き
【図１】
2004034880.tif 000003
【図２】
2004034880.tif 000004
【図３】
2004034880.tif 000005
【図４】
2004034880.tif 000006
【図５】
2004034880.tif 000007
【図６】
2004034880.tif 000008
【図７】
2004034880.tif 000009
【図８】
2004034880.tif 000010
【図９】
2004034880.tif 000011
【図１０】
2004034880.tif 000012
【図１１】
2004034880.tif 000013
【図１２】
2004034880.tif 000014